(57)【特許請求の範囲】
【請求項１】
車両のドアに固定されるハンドルベースに初期回転位置から作動回転位置まで回転操作可能に連結される操作ハンドルと、
コイル部から延びる一方のアーム部をハンドルベースの係止部に、他方のアーム部を操作ハンドルの係止部に係止させて該操作ハンドルを初期回転位置側に付勢するトーションスプリングとを有し、
前記トーションスプリングは、前記操作ハンドルの初期回転位置に対応するセット状態から操作ハンドルの作動回転位置に対応する作動状態への移行の全行程においてコイル部の移動が双方のアーム部の係止位置に対して離隔もしくは接近いずれか一方の動作となる巻回姿勢で装着されるとともに、
双方のアーム部は、前記コイル部の移動方向に拘束され、反対方向への移動が許容されて対応部位に係止される車両のインサイドハンドル装置。
【請求項２】
前記トーションスプリングは、初期回転位置におけるアーム部間の角度を作動時の撓み角度に比して大きく設定されて使用されるとともに、
双方のアーム部は直杆状に形成されて、自由端が操作ハンドル、およびハンドルベースに形成された突き当て壁に突き当てられる請求項１記載の車両のインサイドハンドル装置。
【請求項３】
前記係止部は、双方のアーム部が係止される係止壁を背面壁とするとともに、突き当て壁を底壁とし、
かつ、係止壁から突出して各アーム部の係止壁に沿う方向の移動を規制する一対の規制壁を側壁とする巻き込み方向に開放されたコ字形状断面を有する有底の筒形状に形成される請求項２記載の車両のインサイドハンドル装置。
【請求項４】
前記コイル部から延設される一対のアーム部が等長に形成される請求項１、２または３記載の車両のインサイドハンドル装置。
【発明の詳細な説明】
【技術分野】
【０００１】
本発明は、車両のインサイドハンドル装置に関するものである。
【背景技術】
【０００２】
車両のインサイドハンドル装置は、従来、特許文献１に記載のように、ケース（ハンドルベース）に操作部材（ロックノブ）、およびハンドル（操作ハンドル）を回転操作自在に連結して形成される。操作ハンドルは一方のアーム部が操作ハンドルに、他方のアーム部がハンドルベースに係止されるトーションスプリングにより初期回転位置側に付勢される。
【先行技術文献】
【特許文献】
【０００３】
【特許文献１】特開２０１１-９４４３６号公報
【発明の概要】
【発明が解決しようとする課題】
【０００４】
しかし、上述した従来例において、トーションスプリングのアーム部は操作ハンドル、およびハンドルベースに摺接状態で係止されて反力を取るように構成されているために以下の問題がある。
【０００５】
すなわち、トーションスプリングを巻き込み方向に変形させて付勢力を発生させる場合、コイル部は係止位置に対して離隔、あるいは接近方向に移動するために、操作ハンドルを初期回転位置から作動回転位置まで回転操作した際には、コイル部はアーム部を係止位置に対して摺動させながら離隔もしくは接近方向に移動する。
【０００６】
コイル部が移動すると、該コイル部が操作ハンドルの回転軸部材周りに巻回されている場合には、回転軸部材とコイル部との干渉が発生し、干渉による異音発生を防止するために、グリース等を塗布する必要が生じ、組立効率を低下させるという問題がある。
【０００７】
また、コイル部の移動により、アーム部に対する係止位置が変化してしまうために、操作ハンドルの操作角度に対するコイル部の捻り角が当初の設計値と異なり、所定のトルクが得られず、操作感が劣化してしまうという問題も発生する。
【０００８】
本発明は、以上の欠点を解消すべくなされたものであって、組立効率が良好で、かつ、良好な操作感を得ることのできる車両のインサイドハンドル装置の提供を目的とする。
【課題を解決するための手段】
【０００９】
本発明によれば上記目的は、
車両のドアに固定されるハンドルベース１に初期回転位置から作動回転位置まで回転操作可能に連結される操作ハンドル２と、
コイル部３から延びる一方のアーム部４をハンドルベース１の係止部５に、他方のアーム部４を操作ハンドル２の係止部５に係止させて該操作ハンドル２を初期回転位置側に付勢するトーションスプリング６とを有し、
前記トーションスプリング６は、前記操作ハンドル２の初期回転位置に対応するセット状態から操作ハンドル２の作動回転位置に対応する作動状態への移行の全行程においてコイル部３の移動が双方のアーム部４の係止位置に対して離隔もしくは接近いずれか一方の動作となる巻回姿勢で装着されるとともに、
双方のアーム部４は、前記コイル部３の移動方向に拘束され、反対方向への移動が許容されて対応部位に係止される車両のインサイドハンドル装置を提供することにより達成される。
【００１０】
トーションスプリング６のアーム部４に力を加えてトーションスプリング６のコイル部３にセット状態から巻き込み方向に負荷を加えた場合、コイル部３には、２本のアーム部４が交差している場合にはアーム部４の先端から離隔する方向に、２本のアーム部４が非交叉状態ではアーム部４の先端に接近する方向の力が発生することが知られている。
【００１１】
操作ハンドル２への操作開始から操作終了までの全行程におけるアーム部４間の交叉、非交叉状態を一定に保持し、この時のコイル部３の移動をアーム部４の拘束により規制する本発明において、操作ハンドル２の動作中にコイル部３が移動することがないために、コイル部３の移動に伴う問題を確実に防止することが可能になる。
【００１２】
また、アーム部４は、トーションスプリング６の作動時におけるコイル部３の移動方向と反対方向に対する移動が許容されるために、アーム部４を操作ハンドル２、あるいはハンドルベース１の係止部５への係止作業性の低下を可及的に防止することが可能になる。
【００１３】
上記目的を達成するための本発明の他の態様として、
前記トーションスプリング６は、初期回転位置におけるアーム部４間の角度を作動時の撓み角度に比して大きく設定されて使用されるとともに、
双方のアーム部４は直杆状に形成されて、自由端が操作ハンドル２、およびハンドルベース１に形成された突き当て壁７に突き当てられる車両のインサイドハンドル装置を構成することができる。
【００１４】
本発明において、トーションスプリング６は操作ハンドル２の作動中、アーム部４同士が非交叉状態に維持され、アーム部４の自由端が操作ハンドル２、およびハンドルベース１に形成された突き当て壁７に突き当てられることによりコイル部３の移動が規制される。
【００１５】
アーム部４の自由端を突き当て壁７に突き当てるようにしてトーションスプリング６を装着する作業はアーム部４を操作ハンドル２等に係止させてコイル部３の移動を規制する場合に比して、装着作業性をより良好にすることが可能になる。
【００１６】
また、上記目的を達成するために、
前記係止部５は、双方のアーム部４が係止される係止壁８を背面壁とするとともに、突き当て壁７を底壁とし、
かつ、係止壁８から突出して各アーム部４の係止壁８に沿う方向の移動を規制する一対の規制壁９を側壁とする巻き込み方向に開放されたコ字形状断面を有する有底の筒形状に形成される請求項２記載の車両のインサイドハンドル装置を構成することができる。
【００１７】
本発明において、係止部５は、係止壁８と一対の規制壁９を有して断面コ字形状の筒形状に形成され、所定位置にセットされた状態で、規制壁９によりアーム部４の係止壁８に沿う側方への移動が規制される。このため、トーションスプリング６の倒れ込みが防止され、コイル部３の倒伏に伴うバネ定数の変化が防がれる。
【００１８】
また、トーションスプリング６の装着は、双方のアーム部４を規制壁９をガイドとして底壁に押し付けるだけで完了させることができ、この操作によりコイル部３、およびアーム部４が一旦弾性変形して底壁を乗り越えた後、弾性的に復元して係止部５に嵌合する状態となってスプリングの装着操作が終了する。
【００１９】
また、上記目的を達成するための本発明の他の態様として、
前記コイル部３から延設される一対のアーム部４が等長に形成される車両のインサイドハンドル装置を構成した場合には、トーションスプリング６を反転した姿勢でも装着することができるために、装着作業性を向上させることができる。
【発明の効果】
【００２０】
本発明によれば、操作ハンドルの作動中のトーションスプリングの位置ズレを簡単な構成で防止することができる。
【図面の簡単な説明】
【００２１】
【図１】本発明のインサイドハンドル装置を示す正面図である。
【図２】図１の２Ａ-２Ａ線断面図である。
【図３】図１の３Ａ-３Ａ線断面図である。
【図４】図１の４Ａ-４Ａ線断面図である。
【図５】図１の５Ａ-５Ａ線断面図である。
【図６】操作ハンドルとトーションスプリングの関係を示す斜視説明図である。
【発明を実施するための形態】
【００２２】
図１以下に示すように、インサイドハンドル装置は、ハンドルベース１に操作ハンドル２、およびロックノブ１０を回転中心（Ｃ）周りに回転自在に連結して形成され、ハンドルベース１において車両のドアに固定される。
【００２３】
操作ハンドル２は、図２に示す初期回転位置から、回転中心（Ｃ）を形成する回転軸部材１１周りに矢印（Ｈ）方向に回転した作動回転位置まで回転操作可能であり、作動回転位置まで回転操作することにより、連結部２ａに連結されたケーブル装置等の伝達部材１２を介してドア内のドアロック装置（図示せず）が操作され、ドアの閉塞状態を保持しているラッチが解除される。
【００２４】
また、上記ロックノブ１０は、ロック回転位置とアンロック回転位置との間で回転操作可能であり、ロック回転にあるときに該ロックノブ１０に連結されるドアロック装置はロック状態となって上記操作ハンドル２によるラッチ解除操作が禁止され、ロックノブ１０がアンロック状態のときにのみ操作ハンドル２によるラッチ解除操作が許容される。
【００２５】
なお、本例において、操作ハンドル２、およびロックノブ１０のハンドルベース１への連結は、該ハンドルベース１に架設される回転軸部材１１を使用して行う場合を示したが、操作ハンドル２、およびロックノブ１０のハンドルベース１への連結は、回転軸部材１１を使用することなく、例えば、ハンドルベース１に形成されたヒンジ用突起等に操作ハンドル２、およびロックノブ１０を回転自在に嵌合して行うこともできる。
【００２６】
上記操作ハンドル２を初期回転位置方向に付勢し、作動回転位置からの自動復帰、および初期回転位置でのガタツキを防止するために、トーションスプリング６が装着される。
【００２７】
トーションスプリング６は、コイル部３の両端から直杆状のアーム部４を延設して形成され、コイル部３を回転軸部材１１周りに巻装するとともに、各アーム部４を操作ハンドル２とハンドルベース１に形成された係止部５に係止させて装着される。
【００２８】
各係止部５は、図２、３に示すように、コイル部３に所定の撓み角を付与するためにアーム部４を係止する係止壁８を有し、無負荷の自由状態（図２におけるＦ状態）から撓み角度（θ0）だけ撓ませた状態（図２におけるＳ状態）に保持される位置に配置される。
【００２９】
本例において、２本のアーム部４は等長に形成されており、コイル部３の幅方向中心線に対して反転させた反転姿勢で装着した際にも、コイル部３の中心とアーム部４の係止壁８への接点との距離が変わらないように配慮される。
【００３０】
また、各係止部５には、装着状態においてアーム部４の自由端が突き当たる係止壁８を背面壁とした場合の底壁となる突き当て壁７と、上記係止壁８を背面壁とした場合の側壁となる一対の規制壁９とが設けられる。
【００３１】
図４に示すように、規制壁９はハンドルベース１側では壁面として形成されるが、操作ハンドル２における規制壁９の一方は、図２、６に示すように、バー状に形成される。
【００３２】
また、図４に示すように、規制壁９間の間隔はアーム部４の線径に比してやや幅広に形成され、アーム部４は、規制壁９間に嵌合した状態で係止壁８に沿う方向の移動が規制される。
【００３３】
以上の構成の下、トーションスプリング６の装着は、コイル部３に回転軸部材１１を挿通させた状態でアーム部４を突き当て壁７の端面に押し付けることにより行われる。アーム部４の押し付け操作により、コイル部３はアーム部４に発生する突き当て壁７からの反力により巻き込み方向に変形し、この結果、アーム部４は突き当て壁７の端面を乗り越えた後、コイル部３の弾性的な復元力により係止部５に弾発的に嵌合する。
【００３４】
図２に示すように、２本のアーム部４は、Ｆ状態とＳ状態の双方で互いに交叉しない非交叉状態となるように設定されているので、アーム部４が係止壁８に圧接した状態でコイル部３には図２において矢印（Ｆ）方向の力が発生する。この結果、アーム部４の自由端が突き当て壁７に圧接される状態となり、トーションスプリング６は当該位置に保持される。
【００３５】
さらに、トーションスプリング６のコイル部３は、操作ハンドル２が作動回転位置まで回転操作されて撓み角度（θ1）が増加した場合でも２本のアーム部４は非交叉姿勢を保持するように設定されているために、操作ハンドル２の作動回転位置までの回転操作によってもコイル部３には引き続き矢印（Ｆ）方向の力が働き、初期位置に保持される。
【符号の説明】
【００３６】
１        ハンドルベース
２        操作ハンドル
３        コイル部
４        アーム部
５        係止部
６        トーションスプリング
７        突き当て壁
８        係止壁
９        規制壁
【図１】
0006499913.tif 000002
【図２】
0006499913.tif 000003
【図３】
0006499913.tif 000004
【図４】
0006499913.tif 000005
【図５】
0006499913.tif 000006
【図６】
0006499913.tif 000007